(57)【要約】【課題】高い技術を持たない釣り人が進歩した釣り用具を用いた場合であっても、大きな釣果が得られるイカ釣り用のルアーを提供する。【解決手段】イカ釣り用のルアー１は、一端部に釣り糸１４が接続される釣り糸接続部１０を有するルアー本体２と、ルアー本体２の一端部側の腹部に設けられた抵抗板６と、ルアー本体２の抵抗板６よりも釣り針１２側に設けられた可撓性を有するひれ部８と、を備える。【選択図】図６
0003208006.tif 000002
【実用新案登録請求の範囲】
【請求項１】
イカ釣り用のルアーであって、
一端部に釣り糸が接続される接続部を有するルアー本体と、
前記ルアー本体の前記一端部側の腹部に設けられた抵抗板と、
前記ルアー本体の前記抵抗板よりも他端部側に設けられた可撓性を有する誘引部材と、を備えることを特徴とするルアー。
【請求項２】
前記抵抗板は、前記ルアーの投入時には前記一端部側に倒れ、水中では前記腹部に対して起立するように回動可能に前記ルアー本体に接続されている、請求項１に記載のルアー。
【請求項３】
前記誘引部材は、軟質樹脂の細材、軟質樹脂の薄板、又は、獣毛からなる、請求項１又は２に記載のルアー。
【請求項４】
前記抵抗板は樹脂からなり、塗料による着色又は金属箔の埋め込みがなされている、請求項１〜３の何れか１項に記載のルアー。
【請求項５】
前記抵抗板は、金属材料からなる、請求項１〜３の何れか１項に記載のルアー。
【考案の詳細な説明】
【技術分野】
【０００１】
本考案は、イカ釣り用のルアーに関する。
【背景技術】
【０００２】
従来より、イカ釣り用のルアーとしては大分型といわれる形状のものが広く用いられている。大分型のルアーは、例えば、特許文献１に記載されているように、一端に釣り糸が接続され、他端に釣り針が接続され、浮力を有するルアー本体と、ルアー本体の一端側の腹部に取り付けられた錘と、胸びれにあたる位置に設けられた鳥毛等を備えている。大分型のルアーは、錘と鳥毛のバランスにより頭部を下げた状態で水中を沈下し、釣り人が釣竿をしゃくる動作を行うことにより、頭部を上げた状態で水中を上昇したり、左右どちらかに逸れながら上昇する。大分型のルアーは、このような水中での沈下や上昇、左右へ交互に逸れながら上下動を繰り返すことにより、イカを誘引することができる。
【先行技術文献】
【特許文献】
【０００３】
【特許文献１】特開２０１１−８７４９３号公報
【考案の概要】
【考案が解決しようとする課題】
【０００４】
近年、釣竿や釣り糸等の釣り用具の技術が進歩している。具体的には、釣竿の釣り人の操作に対する感度が高くなり、釣り糸の伸びが少なくなっている。このため、釣り人のしゃくり動作がそのままルアーに伝わり、ルアーを機敏に動かすことが可能になった。しかしながら、ルアーが機敏に動きすぎてしまうと、イカの捕食範囲をすぐに通りすぎてしまうため、活性の低いイカや海底付近から離れないイカを釣ることが難しい。このため、釣り人のしゃくり動作の技術によって、釣果に大きな差が出てしまうという問題があった。
【０００５】
本考案は、上記の問題に鑑みなされたものであり、その目的は、高い技術を持たない釣り人が進歩した釣り用具を用いた場合であっても、大きな釣果が得られるイカ釣り用のルアーを提供することである。
【課題を解決するための手段】
【０００６】
本考案のルアーは、イカ釣り用のルアーであって、一端部に釣り糸が接続される接続部を有するルアー本体と、ルアー本体の一端部側の腹部に設けられた抵抗板と、ルアー本体の抵抗板よりも他端部側に設けられた可撓性を有する誘引部材と、を備えることを特徴とする。
【０００７】
上記構成の本考案によれば、ルアー本体の腹部に抵抗板が設けられているため、釣り人がしゃくり動作を行っても、ルアーの移動距離が小さく、また、浮き上がりが小さいため、活性の低いイカや海底付近から離れないイカであっても、ルアーに誘引することができる。さらに、抵抗板の後方には乱流が生じるため、抵抗板よりも他端部側に設けられた可撓性を有する誘引部材が生き物のように、不規則に動き、イカをルアーにより誘引することができる。
【０００８】
本考案において、好ましくは、抵抗板は、ルアーの投入時には一端部側に倒れ、水中では腹部に対して起立するように回動可能にルアー本体に接続されている。
上記構成の本考案によれば、ルアーの投入時には、抵抗板がルアー本体に沿うように一端部側に倒れるため、抵抗板を設けても空気抵抗が増大せず、飛距離を損なうことがない。
【０００９】
本考案において、好ましくは、誘引部材は、軟質樹脂の細材、又は、羽毛からなる。
上記構成の本考案によれば、誘引部材が軟質樹脂の細材、軟質樹脂の薄板、又は、獣毛からなるため、抵抗板の後方の乱流により、誘引部材が機敏に動くため、イカをよりルアーに誘引することができる。
【００１０】
本考案において、好ましくは、抵抗板は樹脂からなり、塗料による着色又は金属箔の埋め込みがなされている。
上記構成の本考案によれば、イカが抵抗板に興味を持つため、イカをよりルアーに誘引することができる。
【００１１】
本考案において、好ましくは、抵抗板は金属材料からなる。
上記構成の本考案によれば、ルアーの沈下速度の調整が可能になる。
【考案の効果】
【００１２】
本考案によれば、高い技術を持たない釣り人が進歩した釣り用具を用いた場合であっても、大きな釣果が得られるイカ釣り用のルアーが提供される。
【図面の簡単な説明】
【００１３】
【図１】本考案の一実施形態によるルアーを示す斜視図である。
【図２】本考案の一実施形態によるルアーを示す側面図である。
【図３】本考案の一実施形態によるルアーを示す上面図である。
【図４】本考案の一実施形態によるルアーを示す底面図である。
【図５】本考案の一実施形態によるルアーのキャスティング時における状態を示す側面図である。
【図６】本考案の一実施形態によるルアーのしゃくり動作を行った状態を示す側面図である。
【考案を実施するための形態】
【００１４】
以下、本考案の一実施形態によるルアーを図面を参照しながら詳細に説明する。図１〜４は、本考案の一実施形態によるルアーを示し、図１は斜視図、図２は側面図、図３は上面図、図４は底面図である。
図１〜図４に示すように、本実施形態のルアー１は、エビを模したイカ釣り用のルアーであり、ルアー本体２と、錘部４と、抵抗板６と、ひれ部８と、を備える。
【００１５】
ルアー本体２は、滑らかに湾曲する長尺な部材からなり、一端に釣り糸接続用の環状の釣り糸接続部１０が設けられており、他端には釣り針１２が設けられている。ルアー本体２は、釣り糸接続部１０側の端部では小径の円形断面を有し、中間部に向かって断面の径が大きくなり、釣り針１２が設けられた端部に向かって断面の径が小さくなっている。ルアー本体２の釣り糸接続側の端部には、エビの目を模した断面円形の窪み２Ａが両側に形成されている。ルアー本体２の窪み２Ａには、のイカを視覚的に誘引するようにドーム状の目玉や、金属板などを取り付けるとよい。また、ルアー本体２の釣り針１２側の部分には、エビの殻を模して複数の溝２Ｂが湾曲しながら周方向に延びている。なお、釣り糸接続部１０と、釣り針１２とは一体のステンレスなどの金属部材からなる。そして、この金属部材の周りに、例えば、ＡＢＳなどの樹脂を固着させることにより、ルアー本体２は形成されている。ルアー本体２の外周面には、適宜塗装が施されている。
【００１６】
錘部４は、ルアー本体２の釣り糸接続部１０側の端部の腹部に設けられている。錘部４は、例えば、鉛などの比重の高い金属により形成するのが好ましい。錘部４には両側に突出する回転軸４Ａが形成されている。また、錘部４の下部には下方に突出する半球状の係止部４Ｂが形成されている。
【００１７】
抵抗板６は、一対の取付部６Ａと、本体部６Ｂとを有する。本体部６Ｂは例えば樹脂からなる板材であり、ひれ状に形成されている。一対の取付部６Ａは、本体部６Ｂの上部両側に設けられており、それぞれ横方向に延びる孔６Ｃが形成されている。抵抗板６は、一対の取付部６Ａの孔６Ｃ内に、錘部４の回転軸４Ａがそれぞれ配置されることにより、錘部４に対して回動可能に取り付けられている。そして、抵抗板６は、錘部４の係止部４Ｂに当接して下方に延びた状態と、ルアー本体２の下面に沿って釣り糸接続部１０に向かう状態との間で回動可能である。抵抗板には、蛍光増白剤、蓄光剤、蛍光顔料などの着色や、金属箔の樹脂への練り込み等が行われている。
【００１８】
ひれ部８は、可撓性を有する軟質の樹脂が薄いひれ状に形成されてなり、略Ｖ字型を呈している。複数枚のひれ部８が、抵抗板６及び錘部４の釣り針１２側に間隔をあけて取り付けられている。また、各ひれ部８は、先端に向かって後方に傾斜した状態で取り付けられている。なお、本実施形態では、誘引部材として薄い板状（ひれ状）の部材をルアー本体に取り付けることとしたが、軟質樹脂の細材、又は羽毛等の獣毛でもよく、要するに抵抗板６により生じた乱流により不規則に動くような材料であればよい。
【００１９】
次に、ルアー１を用いたイカ釣りの方法について説明する。
まず、ルアー本体２の釣り糸接続部１０に、釣竿（図示せず）から延びる釣り糸１４（図５）を接続する。そして、釣り人が振りかぶってキャスティング（投入）を行う。キャスティングされたルアー本体は、釣り針１２の側（図５の左側）に向かって飛ぶこととなる。図５は本考案の一実施形態によるルアーのキャスティング時における状態を示す側面図である。図５に示すように、ルアー１をキャスティングすると、抵抗板６の釣り針１２側の面に空気が当たり、釣り糸接続部１０側に向かって倒れる。このため、抵抗板６はキャスティングの際の空気抵抗となることなく、飛距離を損なうことなく、ルアー１を遠方までキャスティングすることができる。
【００２０】
ルアー１が海中に沈むと、抵抗板６は錘部４の係止部４Ｂに当接するまで回転し、起立する。図６は、本考案の一実施形態によるルアーのしゃくり動作を行った状態を示す側面図である。図６に示すように、釣り人がしゃくり動作を行うと、ルアー本体２は釣り糸接続部１０側に向かって引っ張られる。この際、抵抗板６が係止部４Ｂに当接した状態で起立しているため、抵抗板６が水から抵抗を受ける。このように抵抗板６が水から抵抗を受けるため、しゃくり動作を行ってもルアー１の移動距離は小さく、また、浮き上がりも小さい。このため、ルアー１が動きすぎ、イカの捕食範囲をすぐに通り過ぎるのを防止し、活性の低いイカであってもルアー１に誘引することができる。
【００２１】
さらに、釣り人がしゃくり動作を行うと、抵抗板６の後方には乱流が生じる。このため、各ひれ部８が不規則に動き、実際のエビ等の生き物の動きを模すことができる。これにより、より効率良くイカをルアー１に誘引することができる。
【００２２】
以上説明したように、本実施形態によれば、以下の効果が奏される。
本実施形態によれば、ルアー本体２の腹部に抵抗板６が設けられているため、釣り人がしゃくり動作を行っても、ルアー１の移動距離が小さく、また、浮き上がりが小さい。このため、活性の低いイカや海底付近から離れないイカであっても、ルアー１に誘引することができる。さらに、抵抗板６の後方には乱流が生じるため、抵抗板６よりも釣り針１２側に設けられた可撓性を有するひれ部８が生き物のように、不規則に動き、イカをよりルアー１に誘引することができる。
【００２３】
また、本実施形態によれば、ルアーの投入時には、抵抗板６がルアー本体２に沿うように釣り糸接続部１０側に倒れるため、抵抗板６を設けても空気抵抗が増大せず、飛距離を損なうことがない。
【００２４】
また、本実施形態によれば、ひれ部８が軟質樹脂の薄板からなるため、抵抗板６の後方の乱流により、ひれ部８が機敏に動くため、イカをルアー１により誘引することができる。
【００２５】
また、本実施形態によれば、抵抗板６は樹脂からなり、塗料による着色又は金属箔の埋め込みがなされている。これにより、イカが抵抗板６に興味を持つため、イカをルアー１により誘引することができる。
【００２６】
なお、上記実施形態では、抵抗板６を樹脂により形成したが、抵抗板６は例えば、ステンレスなどの金属材料により形成してもよい。このように、抵抗板６を金属材料により形成することにより、ルアー１の沈下速度の調整が可能になる。
【符号の説明】
【００２７】
１  ルアー
２  ルアー本体
２Ａ  窪み
４  錘部
４Ａ  回転軸
４Ｂ  係糸部
６  抵抗板
６Ａ  取付部
６Ｂ  本体部
６Ｃ  孔
８  ひれ部
１０  釣り糸接続部
１２  釣り針
１４  釣り糸
【図１】
0003208006.tif 000003
【図２】
0003208006.tif 000004
【図３】
0003208006.tif 000005
【図４】
0003208006.tif 000006
【図５】
0003208006.tif 000007
【図６】
0003208006.tif 000008